(57)【要約】  【目的】  テレビ会議モニターの表示を改善したテレビ会議コントロールシステムの提供  【構成】  テレビ会議コントロールシステムのＣＯＤＥＣ（１３）と連結し、リモート操作が現存のテレビ会議コントロールシステムのあらかじめ設定されたプログラミングと互換性があるようにするタッチスクリーン介入および表示装置(４１)を有するＣＯＤＥＣ駆動タッチスクリーンテレビ会議制御システム（１０）。ビデオ獲得装置（４５）を持ったコンピューター（４３）は、テレビ会議ＣＯＤＥＣ（１３）のビデオ出力を獲得し、それをタッチスクリーン（４４）に送信し、タッチスクリーン上に表示されているものを全てテレビ会議システムのメーカーによって予めプログラミングされたテレビ会議システムの制御になるようにする。テレビ会議モニターのスクリーン上にはカーソルを置く必要はない。実際、本発明を使用すれば、テレビ会議システムの機能制御については一切モニタースクリーン上には現れない。これらの機能はリモートコントロール装置（４１）のタッチスクリーン（４４）上にのみ表示される。【選択図】  図２
2010528561.tif 000002
【特許請求の範囲】
【請求項１】
少なくとも一つのモニター、従来型リモートコントローラー、少なくとも一つのカメラおよび送信用にビデオ信号の圧縮、そして表示用にビデオ信号の解圧縮（伸長）を行う暗号化装置と暗号解読装置とを含む符号化複合器（ＣＯＤＥＣ）を含み、
前記符号化複合器（ＣＯＤＥＣ）は電気的に前記カメラとモニターに接続され、かつ、前記リモートコントロールから信号を受けるための受信機を含み、
前記符号化複合器（ＣＯＤＥＣ）は、応用プログラム情報伝達装置（ＡＰＩ）信号の送信および受信用の第一の接続部と取込ビデオ信号の送信および受信用の第二の接続部を含むテレビ会議システムにおいて、
該テレビ会議システムが、
ａ）コンピューター、
ｂ）該コンピューターに接続されたビデオ取込装置、
ｃ）タッチスクリーンを含むタッチスクリーンシステム、
ｄ）前記コンピューターは、前記ＣＯＤＥＣの前記第一の接続部に接続され、前記ビデオ取込装置は、前記ＣＯＤＥＣの前記第二の接続部に接続されており、
ｅ）前記タッチスクリーンシステムは、前記コンピューターと直接にそして前記ビデオ取込装置を介して相互連結されている、
ｆ）前記タッチスクリーンは該システムの機能に対応する“ボタン”を含むパターン、該システムを操作する該ボタンにタッチするユーザーを表示し、該パターンは少なくとも一つのモニター上に表示されない、
ところの改良を含む前記テレビ会議システム用のタッチスクリーンリモートコントローラーよりなるものであることを特徴とするテレビ会議システム。
【請求項２】
前記ビデオ取込装置は該パターンの該モニター上の表示対応する前記符号化複合器（ＣＯＤＥＣ）のビデオ出力を取り込む手段を含むことを特徴とする請求項１に記載の改良テレビ会議システム。
【請求項３】
前記ビデオ取込装置は前記ビデオ出力を該タッチスクリーシステムに供給する手段を含み、前記ビデオ出力は前記タッチスクリーンシステムのタッチスクリーン上に重ね表示（overlay）として表示されるもであることを特徴とする請求項２記載の改良テレビ会議システム。
【請求項４】
前記重ね表示（overlay）が前記領域を含むものであることを特徴とする請求項３記載の改良テレビ会議システム。
【請求項５】
前記タッチスクリーン上の各々の前記領域には位置座標が与えられ、前記タッチスクリーンシステムは前記コンピューターに各領域に前記位置座標を提供することを特徴とする請求項４に記載の改良テレビ会議システム。
【請求項６】
前記コンピューターは検索テーブルを持ったメモリーを含み、前記検索テーブルは各領域の認識及びそれに相当した位置座標をプログラムされていることを特徴とする前記（５）に記載の改良テレビ会議システム。
【請求項７】
前記タッチスクリーンは接触検知面を持ち、前記タッチスクリーンの領域が触られた場合、それに相当した位置座標は前記コンピューターに送信され、それで、前記コンピューターは応用プログラム情報伝達装置（ＡＰＩ）信号を前記ＣＯＤＥＣが、触れられた前記タッチスクリーンの領域に相当する機能の実行を開始するように指示するように前記符号化複合器（ＣＯＤＥＣ）に送信することを特徴とする請求項６に記載の改良テレビ会議システム。
【請求項８】
前記符号化複合器（ＣＯＤＥＣ）が、ビデオカセットレコーダー（ＶＣＲ）に接続され、該ビデオカセットレコーダー（ＶＣＲ）が、モニター上のプログラミングを行なう、あるいは該モニター上に表示されたプログラミングを記録することの操作を制御することを特徴とする請求項１に記載の改良テレビ会議システム。
【請求項９】
前記符号化複合器（ＣＯＤＥＣ）がデジタルビデオディスク（ＤＶＤ）プレーヤー／レコーダーに接続され、前記ＤＶＤが、モニター上のプログラミングを行なう、あるいは該モニター上に表示されたプログラミングを記録することの操作を制御することを特徴とする請求項１に記載の改良テレビ会議システム。
【請求項１０】
前記ＤＶＤが文書カメラに接続され、該文書カメラを、文書映像を記録するように制御することを特徴とする請求項１に記載の改良テレビ会議システム。
【請求項１１】
機能が、前記カメラがズームと位置づけの機能の多様性の制御を含むものであることを特徴とする請求項７に記載の改良テレビ会議システム。
【請求項１２】
機能が、ボリュームと消音／非消音を含んだ前記システムの音声機能の制御を含むものであることを特徴とする請求項７に記載の改良テレビ会議システム。
【請求項１３】
ビデオカセットレコーダー（ＶＣＲ）及び／またはデジタルビデオディスク（ＤＶＤプ）レーヤー／レコーダーを用いてデータの記録の制御を含むものであることを特徴とする請求項７に記載の改良テレビ会議システム。
【請求項１４】
前記重ね表示は該パターンを含み、そして、前記タッチスクリーン上にのみ表示され、前記少なくとも一つのモニターのスクリーンには表示されないことを特徴とする請求項３に記載の改良テレビ会議システム。
【請求項１５】
前記タッチスクリーンは、指示を確認する手段を含み、前記タッチスクリーンの領域が触られた場合、該領域に相当する位置座標が前記コンピューターに送信される前に、前記タッチスクリーンは、所望の指示に相当する領域が触れられたかを確認する要求を表示することを特徴とする請求項７に記載の改良テレビ会議システム。
【請求項１６】
少なくとも一つのモニター、従来型リモートコントローラー、
少なくとも一つのカメラおよび送信用にビデオ信号の圧縮、そして表示用にビデオ信号の解圧縮（伸長）を行なう暗号化装置と暗号解読装置を含む符号化複合器（ＣＯＤＥＣ）を含み、
前記符号化複合器（ＣＯＤＥＣ）は電気的に前記カメラとモニターに接続され、かつ、前記リモートコントローラーから信号を受けるための受信器を含み、
前記符号化複合器（ＣＯＤＥＣ）は、応用プログラム情報伝達装置（ＡＰＩ）信号の送信および受信用の第一の接続部と取込ビデオ信号の送信および受信用の第二の接続部を含むテレビ会議システムにおいて、
該テレビ会議システムが、
ａ）コンピューター、
ｂ）該コンピューターと前記ＣＯＤＥＣの第二の接続部に接続されたビデオ取込装置、
ｃ）タッチスクリーンを有するタッチスクリーンシステム、
ｄ）前記コンピューターは、前記符号化複合器（ＣＯＤＥＣ）の前記第一の接続部に接続され、前記ビデオ取込装置は、前記符号化複合器（ＣＯＤＥＣ）の前記第二の接続部にＡＰＩ信号を送り、そして受けるために接続されており、
ｅ）前記タッチスクリーンシステムは、前記コンピューターと直接にそして前記ビデオ取込装置を介して相互連結されている、
ｆ）前記タッチスクリーンは該システムの機能に対応する“ボタン”を含むパターン、該システムを操作する該ボタンにタッチするユーザーを表示し、該パターンは少なくとも一つのモニター上に表示されない、
ところの改良を含む前記テレビ会議システム用のタッチスクリーンリモートコントローラーよりなるものであることを特徴とするテレビ会議システム。
【請求項１７】
前記ビデオ取込装置が、システム機能に相当する領域のモニター上の表示に相当する前記符号化複合器（ＣＯＤＥＣ）のビデオ出力を取り込む手段を含み、前記ビデオ取込装置は、コンピューターにより、前記タッチスクリーンシステムにビデオ出力を供給し、前記タッチスクリーンシステムの上のタッチスクリーン上に前記パターンよりなる上付きとして表示され、前記上付きは前記領域を含むことを特徴とする請求項１６に記載の改良テレビ会議システム。
【請求項１８】
前記タッチスクリーン上の各領域には、位置座標が与えられ、前記タッチスクリーンシステムは前記コンピューターに前記各領域の位置座標を供給し、前記コンピューターは検索テーブルを持ったメモリーを含み、前記検索テーブルは各領域の認識及びそれに相当した位置座標をプログラムされていることを特徴とする請求項１７に記載の改良テレビ会議システム。
【請求項１９】
前記タッチスクリーンは接触検知面を持ち、前記タッチスクリーンの領域が触られた場合、それに相当した位置座標は前記コンピューターに送信され、それで、前記コンピューターはＡＰＩ信号を前記符号化複合器（ＣＯＤＥＣ）が、触れられた前記タッチスクリーンの領域に相当する機能の実行を開始するように指示するように前記符号化複合器（ＣＯＤＥＣ）に送信することを特徴とする請求項１８に記載の改良テレビ会議システム。
【請求項２０】
前記タッチスクリーンは、指示を確認する手段を含み、前記タッチスクリーンの領域が触られた場合、該領域に相当する位置座標が前記コンピューターに送信される前に、前記タッチスクリーンは、所望の指示に相当する領域が触れられたかを確認する要求を表示することを特徴とする請求項１９に記載の改良テレビ会議システム。
【発明の詳細な説明】
【技術分野】
【０００１】
本発明は、符号化複合器（ＣＯＤＥＣ）駆動タッチスクリーンテレビ会議コントロールシステムに関するものである。従来技術において、テレビ会議システムは通常、符号化複合器（ＣＯＤＥＣ）と記載される暗号化装置（ｃｏｄｅｒ）と暗号解読装置（ｄｅｃｏｄｅｒ）を含むものであり、ビデオ信号を送信可能な量にまで圧縮し、そして表示可能な量まで解圧縮（伸長）する機能を形成するものである。符号化複合器（ＣＯＤＥＣ）の出力は通常、テレビ会議システムの表示スクリーンまたはモニターの外観と感触とを決定するものである。
【背景技術】
【０００２】
公知のテレビ会議システムは、一般的に二つのカテゴリーに入る。第一のカテゴリーにおいては、制御はダム（ｄｕｍb）（非知能）携帯型リモートコントロール装置を使用して行われる。他のテレビ会議システムはまた、知能性を有しまたプログラム化が可能なパソコンのような装置に支援されたタッチスクリーン介入、表示装置を利用することもできる。前者の場合、ダム携帯型リモートコントロール装置が用いられており、かかるリモートコントロール装置には通常ボタンがあり、それが押された時、赤外線法により数字あるいは文字による指令暗号または情報がＣＯＤＥＣへ送信される。このようなリモートコントロール装置は知能性を有さず、特定のボタンを押すことにより、特定された作業を行なうことができるだけである。
【０００３】
後者の従来技術のテレビ会議システムの場合、タッチスクリーンはテレビ会議システム制御用として使われるが、しかし、タッチスクリーンは一般的には、後で買い足される付属器具でありその装置自身が独特のスクリーンプログラミング装置を持っており、テレビ会議装置のメーカーにより供給されるスクリーンプログラミング装置とは関連づけられていない。かかるタッチスクリーンコントロールシステムは、パソコンのような知能性を有する装置に属するプログラムにより稼動される。これらのタッチスクリーン制御システムには、テレビ会議システムのメーカーのものよりも、それ自体の独創性とデザインがあるのである。その結果として、タッチスクリーン装置のプログラマーは、顧客がタッチスクリーンが作動しているテレビ会議システムの外観と感触に関係なくどのような手法や方法ででも選択するので、スクリーン制御器具とは、実質上のまたは装置上の一貫性はないのである。更に、そのような設置方法において、メーカーの制御する機能に相当するタッチッスクリーンの領域は、先行技術のタッチスクリーンがこれらの制御表示を抑制するように設計されていることもあるけれど、通常システムモニターの一つに表示される。
【０００４】
図１は、参考番号１により一般的に指定され、先行技術のテレビ会議システム用に製造されたタッチコントロールスクリーンの概略図である。図２において説明されているシステムのタイプにおいては、テレビ会議システムのメーカーのスクリーン表示の外観と感触は取り込まれたり、複製されたりしていない。むしろ、テレビ会議システムスクリーンは、そのタッチコントロールスクリーンの個々のプログラマーにより選ばれたタッチコントロールスクリーンのシーケンスと形式による機能を発揮するように、本質的に再プログラミングされている。図１に示された先行技術システムでは、制御機能は、前に説明した通り、表示が抑制されることもあるが、使用者が見るスクリーンまたはテレビ会議モニター上に表示されている。更に、先行技術の操作には、テレビ会議スクリーン上のカーソルを、方位矢印２を用いて適正な所へ移すことが必要であり、そこで、エンターボタン３を結果として生ずる機能を制御するために押される。
テレビ会議システムと互換性があり、そして互換性と有効性を高めるために、テレビ会議システムのあらかじめプログラムされたスクリーン外観と感触で作動するテレビ会議システム用制御システムを開発することが望ましい。このことを考えにいれながら、本発明は行われたものである。
【発明の開示】
【発明が解決しようとする課題】
【０００５】
本発明は、符号化複合器（ＣＯＤＥＣ）駆動タッチスクリーンテレビ会議コントロールシステムに関する。本発明は次の相互に関連する目的、要点、特徴を含むものである。
（１）本発明の最初の要点は、備え付けのテレビ会議コントロールシステムのＣＯＤＥＣと連結し、リモート操作がテレビ会議コントロールシステムのあらかじめ設定されたプログラミングと互換性となるようにするタッチスクリーン介入（entry）および表示装置を提供することを目的としている。
（２）本発明の教示内容に従って、この発明のタッチスクリーンは、タッチスクリーン上に表示されるものが、テレビ会議システムのメーカーによりあらかじめプログラムされたテレビ会議システムのための制御の全てであるように、テレビ会議ＣＯＤＥＣのビデオ出力を取り込む。
（３）本発明の重要な要点は、本発明がＣＯＤＥＣメーカーの制御スクリーンを取り込む最初のものであるので、制御工程は、テレビ会議システムを供給した全てのメーカーがそうであったように、本発明の教示に従った全てのシステムに対して同じである。  
（４）このように、本発明の教示内容に従ったどのシステムも、ＣＯＤＥＣ-製造‐創作されたシステムと同じ制御スクリーンと工程を有するので、他のシステムと同じ外観と感触および作用を有する。
（５）更なる要点として、本発明の教示内容によれば、テレビ会議モニタースクリーン上でカーソルを用いる必要はない。事実、本発明を使用すれば、テレビ会議システムのモニタースクリーン上にはその制御機能はない。むしろ、これらの機能はリモートコントロール装置のタッチスクリーン上に単に表示されているのみである。
【０００６】
従って、本発明の第一の目的は、ＣＯＤＥＣ-駆動タッチスクリーンテレビ会議制御システムを提供することである。
本発明の他の目的は、備え付けのテレビ会議システムのスクリーン表示がタッチスクリーンリモートコントロール上に取り込まれ表示されることを特徴とするシステムを提供することにある。
本発明の更に他の目的は、機能表示がテレビ会議システムのモニタースクリーン上には表示されないことを特徴とするシステムを提供することである。
本発明の更にまた他の目的は、テレビ会議モニタースクリーン上にはカーソルの使用が必要でないことを特徴とするシステムを提供することである。
本発明のこれら及び他の目的、内容、特徴については以下の、発明の実施の形態の項を、付記した図面と一緒に読むことによってより詳細に理解されるであろう。
【課題を解決するための手段】
【０００７】
本発明の第１は、（１）少なくとも一つのモニター、従来型リモートコントローラー、少なくとも一つのカメラおよび送信用にビデオ信号の圧縮、そして表示用にビデオ信号の解圧縮（伸長）を行う暗号化装置と暗号解読装置とを含む符号化複合器（ＣＯＤＥＣ）を含み、
前記符号化複合器（ＣＯＤＥＣ）は電気的に前記カメラとモニターに接続され、かつ、前記リモートコントロールから信号を受けるための受信機を含み、
前記符号化複合器（ＣＯＤＥＣ）は、応用プログラム情報伝達装置（ＡＰＩ）信号の送信および受信用の第一の接続部と取込ビデオ信号の送信および受信用の第二の接続部を含むテレビ会議システムにおいて、
該テレビ会議システムが、
ａ）コンピューター、
ｂ）該コンピューターに接続されたビデオ取込装置、
ｃ）タッチスクリーンを含むタッチスクリーンシステム、
ｄ）前記コンピューターは、前記ＣＯＤＥＣの前記第一の接続部に接続され、前記ビデオ取込装置は、前記ＣＯＤＥＣの前記第二の接続部に接続されており、
ｅ）前記タッチスクリーンシステムは、前記コンピューターと直接にそして前記ビデオ取込装置を介して相互連結されている、
ｆ）前記タッチスクリーンは該システムの機能に対応する“ボタン”を含むパターン、該システムを操作する該ボタンにタッチするユーザーを表示し、該パターンは少なくとも一つのモニター上に表示されない、
ところの改良を含む前記テレビ会議システム用のタッチスクリーンリモートコントローラーよりなるものであることを特徴とするテレビ会議システムである。
【０００８】
好ましくは、（２）前記ビデオ取込装置は該パターンの該モニター上の表示対応する前記符号化複合器（ＣＯＤＥＣ）のビデオ出力を取り込む手段を含むことを特徴とする前記（１）記載のテレビ会議システムの改良であり、より好ましくは、（３）前記ビデオ取込装置は前記ビデオ出力を該タッチスクリーシステムに供給する手段を含み、前記ビデオ出力は前記タッチスクリーンシステムのタッチスクリーン上に重ね表示（overlay）として表示されるもであることを特徴とする前記（２）記載のテレビ会議システムの改良であり、一層好ましくは、（４）前記重ね表示（overlay）が前記領域を含むものであることを特徴とする前記（３）記載のテレビ会議システムの改良であり、より一層好ましくは、（５）前記タッチスクリーン上の各々の前記領域には位置座標が与えられ、前記タッチスクリーンシステムは前記コンピューターに各領域に前記位置座標を提供することを特徴とする前記（４）に記載のテレビ会議システムの改良であり、更に好ましくは、（６）前記コンピューターは検索テーブルを持ったメモリーを含み、前記検索テーブルは各領域の認識及びそれに相当した位置座標をプログラムされていることを特徴とする前記（５）に記載のテレビ会議システムの改良であり、更により好ましくは、（７）前記タッチスクリーンは接触検知面を持ち、前記タッチスクリーンの領域が触られた場合、それに相当した位置座標は前記コンピューターに送信され、それで、前記コンピューターは応用プログラム情報伝達装置（ＡＰＩ）信号を前記ＣＯＤＥＣが、触れられた前記タッチスクリーンの領域に相当する機能の実行を開始するように指示するように前記符号化複合器（ＣＯＤＥＣ）に送信することを特徴とする前記（６）に記載のテレビ会議システムの改良である。
【０００９】
また、好ましくは、（８）前記符号化複合器（ＣＯＤＥＣ）が、ビデオカセットレコーダー（ＶＣＲ）に接続され、該ビデオカセットレコーダー（ＶＣＲ）が、モニター上のプログラミングを行なう、あるいは該モニター上に表示されたプログラミングを記録することの操作を制御することを特徴とする前記（１）に記載のテレビ会議システムの改良である。
【００１０】
また、好ましくは、（９）前記符号化複合器（ＣＯＤＥＣ）がデジタルビデオディスク（ＤＶＤ）プレーヤー／レコーダーに接続され、前記ＤＶＤが、モニター上のプログラミングを行なう、あるいは該モニター上に表示されたプログラミングを記録することの操作を制御することを特徴とする前記（１）に記載のテレビ会議システムの改良である。
【００１１】
また、好ましくは、（１０）前記ＤＶＤが文書カメラに接続され、該文書カメラを、文書映像を記録するように制御することを特徴とする前記（１）に記載のテレビ会議システムの改良であり。
【００１２】
また、更により一層好ましくは、（１１）機能が、前記カメラがズームと位置づけの機能の多様性の制御を含むものであることを特徴とする前記（７）に記載のテレビ会議システムの改良である。
【００１３】
また、更により一層好ましくは、（１２）機能が、ボリュームと消音／非消音を含んだ前記システムの音声機能の制御を含むものであることを特徴とする前記（７）に記載のテレビ会議システムの改良である。
【００１４】
また、更により一層好ましくは、（１３）ビデオカセットレコーダー（ＶＣＲ）及び／またはデジタルビデオディスク（ＤＶＤ）プレーヤー／レコーダーを用いてデータの記録の制御を含むものであることを特徴とする前記（７）に記載のテレビ会議システムの改良である。
【００１５】
また、より一層好ましくは、（１４）前記重ね表示は該パターンを含み、そして、前記タッチスクリーン上にのみ表示され、前記少なくとも一つのモニターのスクリーンには表示されないことを特徴とする前記（３）に記載のテレビ会議システムの改良である。
【００１６】
また、更により一層好ましくは、（１５）前記タッチスクリーンは、指示を確認する手段を含み、前記タッチスクリーンの領域が触られた場合、該領域に相当する位置座標が前記コンピューターに送信される前に、前記タッチスクリーンは、所望の指示に相当する領域が触れられたかを確認する要求を表示することを特徴とする前記（７）に記載のテレビ会議システムの改良である。
【００１７】
また、本発明の第２は、（１６）少なくとも一つのモニター、従来型リモートコントローラー、
少なくとも一つのカメラおよび送信用にビデオ信号の圧縮、そして表示用にビデオ信号の解圧縮（伸長）を行なう暗号化装置と暗号解読装置を含む符号化複合器（ＣＯＤＥＣ）を含み、
前記符号化複合器（ＣＯＤＥＣ）は電気的に前記カメラとモニターに接続され、かつ、前記リモートコントローラーから信号を受けるための受信器を含み、
前記符号化複合器（ＣＯＤＥＣ）は、応用プログラム情報伝達装置（ＡＰＩ）信号の送信および受信用の第一の接続部と取込ビデオ信号の送信および受信用の第二の接続部を含むテレビ会議システムにおいて、
該テレビ会議システムが、
ａ）コンピューター、
ｂ）該コンピューターと前記ＣＯＤＥＣの第二の接続部に接続されたビデオ取込装置、
ｃ）タッチスクリーンを有するタッチスクリーンシステム、
ｄ）前記コンピューターは、前記符号化複合器（ＣＯＤＥＣ）の前記第一の接続部に接続され、前記ビデオ取込装置は、前記符号化複合器（ＣＯＤＥＣ）の前記第二の接続部にＡＰＩ信号を送り、そして受けるために接続されており、
ｅ）前記タッチスクリーンシステムは、前記コンピューターと直接にそして前記ビデオ取込装置を介して相互連結されている、
ｆ）前記タッチスクリーンは該システムの機能に対応する“ボタン”を含むパターン、該システムを操作する該ボタンにタッチするユーザーを表示し、該パターンは少なくとも一つのモニター上に表示されない、
ところの改良を含む前記テレビ会議システム用のタッチスクリーンリモートコントローラーよりなるものであることを特徴とするテレビ会議システム。
【００１８】
好ましくは、（１７）前記ビデオ取込装置が、システム機能に相当する領域のモニター上の表示に相当する前記符号化複合器（ＣＯＤＥＣ）のビデオ出力を取り込む手段を含み、前記ビデオ取込装置は、コンピューターにより、前記タッチスクリーンシステムにビデオ出力を供給し、前記タッチスクリーンシステムの上のタッチスクリーン上に前記パターンよりなる上付きとして表示され、前記上付きは前記領域を含むことを特徴とする前記（１６）に記載のテレビ会議システムの改良であり、
【００１９】
より好ましくは、（１８）前記タッチスクリーン上の各領域には、位置座標が与えられ、前記タッチスクリーンシステムは前記コンピューターに前記各領域の位置座標を供給し、前記コンピューターは検索テーブルを持ったメモリーを含み、前記検索テーブルは各領域の認識及びそれに相当した位置座標をプログラムされていることを特徴とする前記（１７）に記載のテレビ会議システムの改良であり、
【００２０】
一層好ましくは、（１９）前記タッチスクリーンは接触検知面を持ち、前記タッチスクリーンの領域が触られた場合、それに相当した位置座標は前記コンピューターに送信され、それで、前記コンピューターはＡＰＩ信号を前記符号化複合器（ＣＯＤＥＣ）が、触れられた前記タッチスクリーンの領域に相当する機能の実行を開始するように指示するように前記符号化複合器（ＣＯＤＥＣ）に送信することを特徴とする前記（１８）に記載のテレビ会議システムの改良であり、
【００２１】
より一層好ましくは、（２０）前記タッチスクリーンは、指示を確認する手段を含み、前記タッチスクリーンの領域が触られた場合、該領域に相当する位置座標が前記コンピューターに送信される前に、前記タッチスクリーンは、所望の指示に相当する領域が触れられたかを確認する要求を表示することを特徴とする前記（１９）に記載のテレビ会議システムの改良である。
【発明の効果】
【００２２】
本発明の符号化複合器（ＣＯＤＥＣ）駆動タッチスクリーンテレビ会議制御システムを用いることにより、テレビ会議用のモニター上にテレビ会議を制御するカーソル等を表示することなく、遠隔の制御装置のみに制御機能の表示をすれば良く、モニター上の表示が改善される効果がある。
【発明を実施するための最良の形態】
【００２３】
最初に図３及び図４について説明する。特に図３については、関連分野において公知の典型的テレビ会議システムは、通常参考番号１０により示される。システム１０はモニター１５、１７にオーディオ-ビデオ信号を送る符号化複合器（ＣＯＤＥＣ）１３に信号を供給するカメラ１１を含む。符号化複合器（ＣＯＤＥＣ）１３はまた、ＶＣＲ１９、ＤＶＤプレーヤー／レコーダー２１、文書カメラ２３および端末パソコン２５から信号を受けることができる。符号化複合器（ＣＯＤＥＣ）１３とビデオカセットレコーダー（ＶＣＲ）、ＤＶＤプレーヤー／レコーダー間の両頭の矢印からわかるようにＶＣＲとＤＶＤプレーヤー／レコーダーは、モニター１５、１７上に表示されるようにプログラミングを行うために使用され、そして制御された信号はＣＯＤＥＣからＶＣＲとＤＶＤプレーヤー／レコーダーに送られることができる。このＶＣＲはＣＯＤＥＣ１３からのプログラミングを記録するために使用される。
【００２４】
更に図３に関しては、ＣＯＤＥＣ１３は、そこから取込ビデオを得られる接続部（ｐｏｒｔ）２７を有する。更に、ＣＯＤＥＣは補助の接続部２９を有するものであり、ここからＡＰＩ情報を得られる。「ＡＰＩ」とは、「Ａｐｐｌｉｃａｔｉｏｎ  Ｐｒｏｇｒａｍｉｎｇ  Ｉｎｔｅｒｆａｃｅ （応用プログラム情報伝達装置）」の略号である。接続部２９を経由してアクセスされたこの情報伝達装置は、本発明がＣＯＤＥＣ１３と繋がることを許容し、本発明がＣＯＤＥＣ１３に、ＣＯＤＥＣ１３からの指令、および応答の望ましいシリーズを供給することができるようにしたのである。
【００２５】
更にまた図３に関しては、本発明の要素は、一般的には参考番号４０により示され、タッチスクリーンリモートコントロール４１、パソコン４３及びビデオ取込ボード４５を含む。見て判る通り、パソコン４３は接続部４７を有し、それにＣＯＤＥＣ１３のＡＰＩ情報接続部２９に連結された伝導体４６が連結されている。ビデオ取込装置４５は接続部４９を有し、それは伝導体５１によりＣＯＤＥＣ１３の取込ビデオ接続部２７に接続されている。
パソコン４３の制御下にあるビデオ取込装置４５は接続部４２を介してタッチスクリーン４１に信号を供給する。使用者がタッチスクリーン４１のスクリーン４４に接触したとき、接触の位置に相当するｘおよびｙ位置座標は接続部５３と伝導体５５を介してパソコン４３上の接続部５７に伝達される。
【００２６】
お判りの通り、パソコン４３は、タッチスクリーン４４上で機能するものの制御の位置に関連するテレビ会議システム１０の機能に相当するそれぞれのｘおよびｙ位置座標に相当するデータをあらかじめプログラムしてある。換言すれば、タッチスクリーン４４にはモニター１５および１７上に普通に表示されるパターンが供給され、そのパターンは図１により、よりよく説明されるようにテレビ会議システム１０の様々の機能に相当する「ボタン」を含むものである。本発明の教示内容に従えば、これらの「ボタン」はもはやモニター１５および１７上に表示されるのではなく、今やタッチスクリーン４１のスクリーン４４上に単独に表示されるのである。
【００２７】
ビデオ信号はシステム１０から次のような方法で取り込まれる（図６参照）：
モニター１５および１７出力（メーカーが供給する手持ちのリモートコントロールシステムを含む）のＳ‐ビデオはＣＯＤＥＣ１３からビデオ取込装置４５に送られ、それは次に映像をＰＣ／装置プログラム−当業者により必要と理解されるように映像を剪定しスケールする−上のプログラムにより定義されるように「取込領域」中に配置する。
取込工程が一度開始されると、それは自動的に進められる。
【００２８】
タッチスクリーン移送操作は以下のように進められる（図６参照）。
使用者がアクセスした時、ＣＯＤＥＣ１３ダイナミックリンクライブラリー（ＤＬＬ）はパソコン４３からの「スクリーン挙動定義」（Ｓｃｒｅｅｎ  Ｂｅｈａｖｉｏｒ  Ｄｅｆｉｎｉｔｉｏｎｓ）ファイルを装荷するように設計されている。このファイルはシステム中の全ての案内スクリーンを列挙し、スクリーン上の各領域のＸＹ座標情報を明確にする。
使用者がタッチスクリーン４４の「取込領域」に触れると、スクリーンシステム４１中の使用者インターフェースモジュールはその接触の座標を分析用としてパソコンに送り込む。
パソコンはＸＹ座標を現在のスクリーンに対して交差照合し、次いで適当な操作を行なう。
パソコンは、常時、スクリーンが表示していることを知らせるメッセージを聴取するようにしている。
接触により行われる操作は２つの一般のクラスのうちいずれか一つである。
１）指令
２）操作
「指令」は生のＣＯＤＥＣ  ＡＰＩ指令である。これらは、通常「スクリーンジャンプ」に類似のもの、あるいはＣＯＤＥＣ１３への直接指示である。
「操作」は、実際に起こることを判断するための一般的目的のサブルーチン（いくつかのサブルーチンが可能である）援用を含むものである。主張は最適な挙動を行なうための操作明細（Ａｃｔｉｏｎ  Ｓｔａｔｅｍｅｎｔ）中に特定化される。一般的に、操作は完了する前に、ＣＯＤＥＣ状態を確認する、または追加の指令を進める。
表示パターンはＣＯＤＥＣ１３の接続部２７からビデオ取込装置４５に送られ、更に接続部４２を経由してタッチスクリーン４１に送られる。このように、スクリーン４４上の領域が使用者により触れられた場合、その接触に相当する座標は、伝導体５５を経由してパソコン４３に移送され、そしてそこから接続部４７、伝導体４６及び接続部２９を経由して、モニター１５、１７上の機能の変化の制御を伝導体１４と１６と同様にＣＯＤＥＣ１３を経由して行なう。
【００２９】
上述の通り、本発明の教示内容によれば、スクリーン１５、１７上のカーソルの必要はなくなった。更に、図２に説明されている先行技術の例のように、カーソルをスクリーン１５および１７のいずれか一つの上の領域に揃え、「入」ボタンを押す必要はない。スクリーン１５、１７上の領域はもはや存在せず、タッチスクリーン４１のスクリーン４４のみが、それらの領域に代表されるシステム１０の機能を持った領域を有するのである。
【００３０】
本発明の教示内容によれば、スクリーン４４は二つの一般的範囲を含む。即ち、ＣＯＤＥＣ１３の正確な出力を表示する中央の四角い部分と、ＣＯＤＥＣ１３用の調整指令と同様に、活性付属オーディオビデオ装置、例えばカメラ１１、ＶＣＲ１９、ＤＶＤ２１、文書カメラ２３および端末パソコン２５等用の制御ボタンを含んだ四隅の縁部である。加えるに、スクリーン４４上の範囲には、システムの状態についての情報の促進表示が送られる。接続部４２および５３はタッチスクリーン４１を本発明に連結されたサブシステムおよび会議システムに結合するために備えられているものである。
【００３１】
先行技術と比較すると、本発明の教示内容によれば、本発明のシステムはＣＯＤＥＣ１３の正確なビデオ出力を取り込み、また、ＣＯＤＥＣ１３にメーカーの携帯型リモート装置の出力を重複して入力する。この方法において、操作は常に正確にＣＯＤＥＣ１３のメーカーにより設計されたものと同じである。システム１０の各遂行は先行技術の装置、即ち、その中でタッチスクリーンリモートコントロールはＣＯＤＥＣのプログラムをベースに動いているのではなく、むしろリモートコントロールのプログラムをベースに動いている先行技術の装置、と比較しても矛盾していない。
【００３２】
図４は図３と類似しているが、上述の本発明の構成要素に凝縮されている。図４中の数字表示は図３の構成要素と類似である。本発明のシステム４０は、パソコン４３に制御されている簡易使用タッチスクリーン４４、論理的操作を確実にする知性を備えた装置の使用により、ＣＯＤＥＣ１３の機能の制御を可能とし、使用者に正しい選択が行われたことを証明する要求を表示によって行なう２回目の機会を与え、誤った操作を防ぐものである。
更に詳しくは、パソコン４３はコンピュータープログラム言語中に記載された論理的指示を実行することができる。パソコン４３はテレビ会議システム１０の操作をビデオ取込装置４５とともに、ＰＣＩまたはパソコン４３に組み込まれた他の適切な母線を経由して、制御するのである。ＲＳ２３２シリーズを経由したＣＯＤＥＣ１３の結合は図４に模式的に示される。伝達はパソコンの接続部４７とＣＯＤＥＣの接続部２９の間でやりとりしながら指令される。お判りのように、これらの伝達はＣＯＤＥＣ１３のメーカーの応用プログラム情報伝達装置（ＡＰＩ）に適合するのである。
【００３３】
伝達はまた、図４に示され、参考番号５５で示された伝導体及び５３、５７の接続部により指定された連続伝達連鎖を介して、タッチスクリーンを使用することにより起こる。上述のように、本発明を使用すると、モニタースクリーン上ではカーソルの表示はない。むしろ、タッチスクリーン４１はマウスのように作用し、スクリーン４４（図３）上の領域が触れられた場合、その接触位置のｘおよびｙ座標はパソコン４３に伝導体５５を介して移送される。パソコン４３はあらかじめプログラムされているので、適切な制御信号は伝導体４６を介してＣＯＤＥＣ１３に送られる。もし必要であれば、パソコン４３は、タッチスクリーン上の領域が触れられたとき、使用者にその操作を確認するためにスクリーンにもう一度接触するように要求することを表示するようにしてもよい。
【００３４】
総括すれば、パソコン４３はテレビ会議システム１０の全ての操作を開始し制御する特殊なコンピュータープログラミングのセットを実行するのである。論理は次のセットを含む。
（１）使用者から、そして使用者への全ての伝達を含んだタッチスクリーン４１の全ての操作；
（２）ビデオ取込ボードのすべての操作；および
（３）ＣＯＤＥＣ１３へのすべての要求、およびＣＯＤＥＣ１３からの全てのメッセージ。
もし必要であれば、パソコンソフトウェアーに、改竄を防ぐために特殊のパスワードを設定し、セキュリティコントロールを持たせてもよい。本発明の重要な鍵は、パソコン４３がテレビ会議システム１０を、ＣＯＤＥＣのＡＰＩを通してテレビ会議システム自体がもつＣＯＤＥＣ１３を介して制御するという事実である。
【００３５】
図５によれば、パソコン４３とＣＯＤＥＣ１３との間の全ての伝達は同じような手順で行われる。図５によれば、使用者がスクリーン４４に触れると、使用者がシステム４０にアクセスしたこととなる。然る後、ビデオ取込ボード４５はＣＯＤＥＣ１３からビデオを取り込む。
次に、ビデオ取込ボード４５はＣＯＤＥＣ１３からビデオをタッチスクリーン４４に、タッチスクリーンシステム４１上の接続部２７、伝導体５１、接続部４９及び４２を介して送る。
パソコン４３によりあらかじめプログラムされたように、ＣＯＤＥＣビデオが一度タッチスクリーンシステム４１により受け取られると、システム４１はスクリーン４４を、その領域を触れることにより機能が開始するスクリーン４４の各領域に相当するｘおよびｙ座標により重ねる。
その後、使用者が機能を開始しようと思った時、その使用者は、必要とする機能を示す領域にあるタッチスクリーンに接触する。その接触に応答して、タッチスクリーンシステム４１は、触れられた部分のｘおよびｙ座標を、接続部５３、伝導体５５、接続部５７（図３参照）を介してパソコン４３に移送する。パソコン４３の記憶装置にあらかじめプログラムされた検索テーブルは、必要な操作とともにパソコンにより受け取られたｘおよびｙ座標と相関する。それに応答して、パソコン４３はＡＰＩコードを接続部４７、伝導体４６および接続部２９を介してＣＯＤＥＣ１３に送信する。ＣＯＤＥＣ１３は、送信の受信を示す同じ送信経路を介してパソコン４３に反響させ、それからＣＯＤＥＣ１３は、その接続部の一つとそれに関連する伝導体を介して必要な操作を行なう。
【００３６】
ＣＯＤＥＣ１３は、次に、操作完了信号を接続部２９、伝導体４６および接続部４７を介してパソコン４３に送る。上記のようにして操作が完了すると、パソコン４３は、使用者による、スクリーン４４への次の接触を待ち受ける。
本発明の重要性を理解するために、その操作を、先行技術であるメーカー供給による携帯型制御装置と対照することは有益である。本発明は本質的にＣＯＤＥＣメーカーの携帯型リモート装置の操作を重ねるものである。テレビ会議システムのメーカーのバージョンにおいては、必要な操作を指示する図を示す制御スクリーンはテレビ会議を映し出すのと同じ装置（テレビスクリーン１５、１７）上に表示される。
【００３７】
従来技術の携帯型リモート装置は映像装置（例えばテレビスクリーン）において示され、携帯型リモート装置上の適切なボタンを押す。赤外信号が映像装置の図の記号の位置、そして希望する操作を示すようにＣＯＤＥＣに送信される。携帯型リモート装置はダム（ｄｕｍｂ）（非知性：論理的知性を欠く）であるので、シーケンスや操作の論理性は使用者により決定されねばならない−例えば、「第二の機会」の論理的チェックあるいは可能性はない。
ＣＯＤＥＣリモート装置（仮想の全ての携帯型リモート装置に類似）は操作が簡単ではなく直覚的でもない。しばしば、先行技術の装置はリモートコントロールにより希望する領域に移されるモニタースクリーン上でカーソルを使用し、クリックして稼働することが必要である。以下に本発明の操作について記載する。
【００３８】
本発明においては、コントロールスクリーンは、テレビ会議を映すために使用されているのと同じ映像用装置（例えばテレビスクリーン）には現れない。その代わり、コントロールスクリーンのビデオはビデオ取込装置により「取込」され（図４、４５項）、そしてタッチスクリーン表示（図４、４４項）に送信される。パソコンはまた、もう一つの機能を行なうのである。パソコンはスクリーンの全ての情報をＣＯＤＥＣ１３に、映像装置１５、１７（例えばテレビスクリーン）上に表示されるように送信され、テレビ会議における遠くの位置の映像を表示する。この情報のスクリーンは、パソコン４３に由来し、遠くの映像を、タッチスクリーンを介して端末の使用者により消去されるまで隠蔽しておくのである。これは安全のために採用されるのである（例えば、遠方の映像を表示することを認可されるまでゆるさない）。
【００３９】
ＣＯＤＥＣ１３は、いくつかの異なったメーカーにより製造された暗号化／暗号解読装置（ｃｏｄｅｒ／ｄｅｃｏｒｄｅｒ）である。それはテレビ会議システムの中心部分である。制御は例外として、それは本質的にテレビ会議システムの全ての知性を備えた操作を行なうのである。それは映像装置にどのようなビデオソース（カメラ、ＶＣＲ、ＤＶＤ、文書カメラ、パソコン）が表示されるかを決定し、遠隔位置との連絡を確立しそして操作指令を受け、必要な操作（例えば、ビデオ呼出を行なう、接触のリストを表示する、ＶＣＲを表示する等）を行なうのである。
【００４０】
本発明においては、どのようにＣＯＤＥＣ１３が働くかよりむしろ、いかにタッチスクリーンリモートコントロール発明が働くかについて記載されている。ＣＯＤＥＣスクリーンの内容およびＣＯＤＥＣが行なう機能については中心に関係していない。関係していることは、どのようにパソコン４３がＣＯＤＥＣ１３と連結し、どのようにＡＰＩ指令が遂行され、どのように指令が送られＣＯＤＥＣから受けられるか、等である。特別なことは、それぞれから別個になにが行われたであり、例えばＣＯＤＥＣビデオスクリーンの取込、それらにｘ'座標とｙ'座標をかぶせること、コントロールコードをタッチスクリーン４４からパソコン４３に送信することおよびパソコン４３からめパソコン４３からメッセージをタッチスクリーン４４に送信することである。
【００４１】
タッチスクリーンシステム４１はＬＣＤスクリーンまたは、サイズ変更が可能な他のビデオ表示技術（ＣＲＴ、プラズマ等）４４（図３）からなる。表示スクリーンに加えて、タッチスクリーンはスクリーンにｘ'座標とｙ'座標をかぶせるハードウェアを含む。タッチスクリーン表示に触れた時、スクリーン範囲のｘ'座標とｙ'座標を提示する「マウスクリック」をパソコン４３に送信する。パソコン４３ロジックはプログラムされた検索テーブルによって位置を認識し、それにより、暗示された制御符号が活性化する。パソコン４３はコード（ＣＯＤＥＣのＡＰＩプロトコルに適合する）を接続部４７、伝導体４６、接続部２９（図４）を介してＣＯＤＥＣ１３に送信する。それからＣＯＤＥＣ１３は要求された指令を実行する。
【００４２】
タッチスクリーンの周辺部は、全ての四隅の長方形の指令及び情報に線引きされている。これらの長方形は常に、同じ位置に置かれており、常に、特別の方法で操作されている。スクリーンの周縁は、好ましくは４つの指令領域よりなる。
−カメラ制御（上左隅）
−ビデオインプット（上右隅）
−音声制御（下左隅）
−機能（下右隅）
また、それは３つの動作状態／ヘルプボタンを有する。
−オフ／オン‐ライン
−ヘルプ（「ヘルプ」が押されると次のボタンが現れる。
○サポートコンタクト
○使用者マニュアル
○三組のソフトウェア（Ｓ  ＭＣＳモジュール）情報
−乗換（迅速乗換機能）
このシステムが送信ライン点呼と契約している場合、付加の「ネットワーク統計」ボタンが表示される。このボタンを押すことで使用者は、ＣＯＤＥＣ１３から直接ネットワーク統計の数ページを観ることができる。
【００４３】
与えられたシステム（システムのセットアップ時間で決定される）においては、一つ以上のカメラを含むことができる。カメラ制御は６個のボタンよりなる。
−ズームイン
−ズームアウト
−左側ポイントカメラ
−右側ポイントカメラ
−上側ポイントカメラ
−下側ポイントカメラ
ボタンは押され、カメラが要求された領域を移すまで押され続ける。
【００４４】
ビデオインプットは５個のボタンより構成される。
−主カメラ
−ＤＶＤ
−ＶＣＲ
−文書カメラ
−外部コンピュータ
これらのボタンの一つを押すことでビデオ源を活性化する。もし求められれば、映像装置の一つに遠隔的に表示される。
【００４５】
ビデオ源ボタンは、必要なビデオ源に接続することを要求するために用いられる。典型的なテレビ会議システムは２つの映像を表示する。
○  遠方の位置
○  近くの位置または可変的ビデオ源（ＤＶＤ、ＶＣＲ、文書カメラまたはパソコン）
単独モニター（映像装置）においては、一つの映像は装置の主部分に表示される。２番目の映像は画面中の画面（ＰＩＰ）に表示される。二重モニターシステムでは、左側のモニターは遠方を表示し、右側のモニターは近く、または可変情報（ＤＶＤ、ＶＣＲ、文書カメラ、外部コンピューター）を表示する。
【００４６】
音声コントロールは４つのボタンよりなる。
−ボリュームダウン
−ボリュームアップ
−消音／非消音  音声
−消音／非消音  マイク
ボリュームアップあるいはダウンのボタンを押し続けることにより、音声を上げたり、音声がなくなるまで下げたりすることができる。消音／非消音ボタンのいずれもマイクやスピーカーの音声を消したりつけたりすることができる。
４つの機能コントロールがある。
−情報移行モードでは、テレビ会議モードと紹介モード間の切り替えを行なう。
−ログアウト  システムをアイドルモードに置く。
−オープンアドミン
○  使用者の設定（セキュリティパスワード維持用）
○  清掃（修理時の、ＣＯＤＥＣのセキュリティ感知情報の浄化）
−メイン／バック（操作を前に戻す）
時間、日付はスクリーン上に表示される。
【００４７】
このように、本発明はその実施の形態の中で開示され、前述の発明の目的のいずれのものも達成したものである。そして、新規な有益なＣＯＤＥＣ駆動タッチスクリーンテレビ会議制御システムを提供したのである。
勿論、本発明の内容において、様々な変更、修正、および改変が等業者によって、本出願の範囲を離れることなく考えられるであろう。
しかして、本発明は以下の請求項の言葉のみに限定されるものではない。
【産業上の利用可能性】
【００４８】
本発明によれば、テレビ会議モニター上にテレビ会議コントロールを表示する必要のない、表示特性が改善された汎用テレビ会議コントロールシステムを提供できたことにより産業上の利用が期待できる。
【図面の簡単な説明】
【００４９】
【図１】図１は従来技術の概略図である
【図２】図２は本発明のタッチスクリーンの概略図である。
【図３】図３本発明の電気回路を示す概略図である。
【図４】図４は本発明の電気回路のブロックダイアグラムを示す図面である。
【図５】図５は本発明の操作で採られるシーケンスステップを示す図面である。
【図６】図６はｘ座標とｙ座標を判読する方法を説明するフローチャートである。本発明のアミノ酸合成技術の一例を示す。実施例１および２を実施する装置
【図１】
2010528561.tif 000003
【図２】
2010528561.tif 000004
【図３】
2010528561.tif 000005
【図４】
2010528561.tif 000006
【図５】
2010528561.tif 000007
【図６】
2010528561.tif 000008
2010528561.tif 000009
2010528561.tif 000010
2010528561.tif 000011
2010528561.tif 000012
2010528561.tif 000013
2010528561.tif 000014
【手続補正書】
【提出日】平成21年12月11日(2009.12.11)
【手続補正１】
【補正対象書類名】図面
【補正対象項目名】図１
【補正方法】変更
【補正の内容】
【図１】
2010528561.tif 000015
【国際調査報告】
2010528561.tif 000016